(57)【要約】  基地局装置と、基地局装置と移動局装置とを有する移動体通信システムにおいて、基地局装置は、所定のイベントが発生したときに、そのイベントに応じて変更される設定情報と、設定変更を行うタイミングを指定するタイミング情報と、設定変更するタイミングを算出するための基準となるアクションを基地局装置と移動局装置のそれぞれについて指定するトリガ情報とを含む設定変更情報を記憶し、かつ設定変更情報を、所定のイベントが発生する前に自装置の通信可能エリア内に存在する移動局装置へ送信する。移動局装置及び基地局装置は、トリガ情報に指定されたアクションが発生したときに、それぞれ、設定変更情報に含まれるタイミング情報に従って設定変更するタイミングを決定し、そのタイミングにおいて設定変更情報に含まれる設定情報に従って設定変更する。
2011042973.tif 000002
【特許請求の範囲】
【請求項１】
基地局装置と、前記基地局装置と移動局装置とを有する移動体通信システムであって、
前記基地局装置は、第１のイベントが発生したときに、該第１のイベントに応じて変更される設定情報と、設定変更を行うタイミングを指定するタイミング情報と、該タイミングを算出するための基準となるアクションを前記基地局装置と前記移動局装置のそれぞれについて指定するトリガ情報とを含む設定変更情報を記憶し、かつ該設定変更情報を、前記第１のイベントが発生する前に自装置の通信可能エリア内に存在する前記移動局装置へ送信し、
前記移動局装置及び前記基地局装置は、前記トリガ情報に指定されたアクションが発生したときに、それぞれ、前記設定変更情報に含まれる前記タイミング情報に従って設定変更するタイミングを決定し、決定した該タイミングにおいて前記設定変更情報に含まれる前記設定情報に従って設定変更する、
移動体通信システム。
【請求項２】
前記移動局装置及び前記基地局装置は、前記設定変更するタイミングが該移動局装置及び該基地局装置において同一となるように該タイミングを決定する、請求項１に記載の移動体通信システム。
【請求項３】
前記タイミング情報は、一定の周期で繰り返され、前記基地局装置から前記移動局装置へ送信されるフレームに付されるフレーム番号の特定番号を表すフレーム番号情報と、前記アクション発生後における該周期の繰り返し回数を含み、
前記移動局装置及び前記基地局装置は、それぞれ、前記トリガ情報に指定されたアクションが発生してから、前記繰り返し回数だけフレーム番号の周期が繰り返された後の前記特定番号のフレームに相当する時間を、前記設定変更するタイミングとする、
請求項１または２に記載の移動体通信システム。
【請求項４】
前記設定変更情報は、前記移動局装置のアクションが発生するタイミングと前記基地局装置のアクションが発生するタイミングとの時間差の推定値を表す時間差情報をさらに含み、
前記移動局装置と前記基地局装置のうち、前記アクションの発生タイミングが後である装置は、前記アクションの発生タイミングが前である他方の装置における前記アクションの発生タイミングに相当するフレーム番号を前記時間差情報に表された時間差の推定値に相当するフレーム数から推定し、該推定されたフレーム番号よりも、該発生タイミングが後である装置の前記アクション発生時のフレーム番号の方が小さい場合、前記繰り返し回数を、１回少なくなるように補正し、かつ、前記時間差情報に表された時間差の推定値に該当するフレーム数がフレーム数の最大値を超えると、当該時間差に応じて、前記繰り返し回数を少なくなるように補正する、請求項３に記載の移動体通信システム。
【請求項５】
前記フレーム番号情報は、前記第１のイベントと異なる第２のイベントの実行タイミングを指定し、前記移動局装置及び前記基地局装置は、当該第２のイベントの実行時におけるフレーム番号を前記特定番号とする、請求項３または４に記載の移動体通信システム。
【請求項６】
前記第２のイベントは、セッション中のハードハンドオーバの所定回である、請求項５に記載の移動体通信システム。
【請求項７】
前記基地局装置と接続される上位ノード装置をさらに有し、
前記フレーム番号情報は、前記上位ノード装置が決定した前記移動局装置へ信号を送信するタイミングを指定し、
前記移動局装置及び前記基地局装置は、前記移動局装置へ信号を送信するタイミングを規定するチップ単位のオフセット値から算出される前記フレーム番号を前記特定番号とする、請求項３または４に記載の移動体通信システム。
【請求項８】
前記基地局装置は、自装置と無線接続される前記移動局装置の第１のグループの通信量又は接続数が、自装置と無線接続される前記移動局装置の第２のグループの通信量または接続数よりも多い場合、前記第１のグループに対して、前記基地局装置と接続された上位ノード装置が決定した前記移動局装置へ信号を送信するタイミングを規定するチップ単位のオフセット値から算出される前記フレーム番号、またはセッション中のハードハンドオーバの所定回の実行時における前記フレーム番号を前記特定番号として用い、一方、前記第２のグループに対して前記フレーム番号情報で指定された前記特定番号を用いて前記設定変更するタイミングを決定する、請求項３または４に記載の移動体通信システム。
【請求項９】
前記基地局装置は、自装置と無線接続される前記移動局装置の第１のグループの通信量又は接続数が、自装置と無線接続される前記移動局装置の第２のグループの通信量または接続数よりも多い場合、前記第１のグループに対して、前記基地局装置と接続された上位ノード装置が決定した前記移動局装置へ信号を送信するタイミングを規定するチップ単位のオフセット値から算出される前記フレーム番号を前記特定番号として用い、一方、前記第２のグループに対してはセッション中のハードハンドオーバの所定回の実行時における前記フレーム番号を前記特定番号として用いて前記設定変更するタイミングを決定する、請求項３または４に記載の移動体通信システム。
【請求項１０】
前記第１のグループは、前記基地局装置が有する第１のセクタに接続された前記移動局装置のグループであり、前記第２のグループは、前記基地局装置が有する前記第１のセクタと異なる第２のセクタに接続された前記移動局装置のグループである、請求項８または９に記載の移動体通信システム。
【請求項１１】
前記第１のグループは、第１の波長を有する搬送波を利用して接続された前記移動局装置のグループであり、前記第２のグループは、前記第１の波長と異なる第２の波長を有する搬送波を利用して接続された前記移動局装置のグループである、請求項８または９に記載の移動体通信システム。
【請求項１２】
前記基地局装置及び前記移動局装置は、（ａ）前記基地局装置と接続された上位ノード装置が決定した前記移動局装置へ信号を送信するタイミングを規定するチップ単位のオフセット値から算出される前記フレーム番号を前記特定番号として用いて前記設定変更するタイミングを決定する方法、（ｂ）セッション中のハードハンドオーバの所定回の実行時における前記フレーム番号を前記特定番号として用いて前記設定変更するタイミングを決定する方法、及び（ｃ）前記フレーム番号情報で指定された前記特定番号を用いて前記設定変更するタイミングを決定する方法の中から、前記移動局装置の通信状態または通信能力に応じて前記設定変更するタイミングを決定する方法を選択する、請求項３または４に記載の移動体通信システム。
【請求項１３】
前記第１のイベントは、前記移動局装置における通信セル数の変更であり、前記トリガ情報により指定される前記基地局装置及び前記移動局装置に対する前記アクションは、通信セル数の変更に関する通知である、請求項１〜１１の何れか一項に記載の移動体通信システム。
【請求項１４】
所定のイベントが発生したときに、該イベントに応じて変更される設定情報と、設定変更を行うタイミングを指定するタイミング情報と、該タイミングを算出するための基準となるアクションを自装置と移動局装置のそれぞれについて指定するトリガ情報とを含む設定変更情報を記憶する記憶部と、
前記設定変更情報を、前記所定のイベントが発生する前に自装置の通信可能エリア内に存在する移動局装置へ送信する無線インターフェース部と、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更する制御部と、
を有する基地局装置。
【請求項１５】
所定のイベントが発生したときに、該イベントに応じて変更される設定情報と、設定変更を行うタイミングを指定するタイミング情報と、該タイミングを算出するための基準となるアクションを基地局装置と移動局装置のそれぞれについて指定するトリガ情報とを含む設定変更情報を、前記基地局装置から受信する無線インターフェース部と、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更する制御部と、
を有する移動局装置。
【請求項１６】
基地局装置と、移動局装置とを有する移動体通信システムにおける設定変更方法であって、
前記基地局装置は、
所定のイベントが発生したときに、該イベントに応じて変更される設定情報と、設定変更を行うタイミングを指定するタイミング情報と、該タイミングを算出するための基準となるアクションを前記基地局装置と前記移動局装置のそれぞれについて指定するトリガ情報とを含む設定変更情報を、前記所定のイベントが発生する前に自装置の通信可能エリア内に存在する前記移動局装置へ送信し、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更し、
前記移動局装置は、
前記設定変更情報を受信し、
前記設定変更情報に含まれる前記トリガ情報に指定されたアクションが発生したときに、前記設定変更情報に含まれる前記タイミング情報に従って、設定変更するタイミングを決定し、該タイミングにおいて前記設定変更情報に含まれる前記設定情報に従って設定変更する、
ことを含む方法。
【発明の詳細な説明】
【技術分野】
【０００１】
ここに開示される実施形態は、移動体通信システム、移動局装置及び基地局装置ならびに移動局装置及び基地局装置の設定情報の変更方法に関する。
【背景技術】
【０００２】
移動体通信システムにおいて、ユーザ端末などの移動局装置が同時に無線接続される基地局数あるいはセクタ数であるセル数は、移動局装置の現在位置あるいは周囲の電波環境、若しくは移動局装置自身の移動に応じて頻繁に変動する。
通信セル数を追加したり、あるいは削除するための制御は、基地局装置と接続された無線ネットワーク制御装置(Radio Network Controller、RNC)により実行される。そのために、RNCは、基地局装置及び移動局装置に対して、それぞれ通信セル数の変更を通知する信号を送信し、また基地局装置及び移動局装置から、通信セル数の変更に関連する情報を受信する。【０００３】
特定の移動局装置の通信セル数が変更されたときに、その移動局装置における受信電力の総和が変動すると、その移動局装置は、受信した信号を適切に再生できなくなるおそれがある。そこで、移動局装置における受信電力が通信セル数の変動により影響されないように、その移動局装置と無線接続された基地局装置は、通信中セル全ての送信電力の総和が一定となるように、各セルの送信電力を調整している。例えば、通信セル数が１から２に増加する場合、基地局装置は、各セルの送信電力を元の送信電力の1/2にする。【０００４】
移動体通信システムでは、基地局装置は、移動局装置との無線接続を維持するために、移動局装置から受信した信号を利用する。例えば、第３世代パートナーシッププロジェクト(Third Generation Partnership Project、3GPP)により策定されたRelease99規格において定義されている呼制御を利用する基地局装置は、送信される信号の電力を制御する。そのような信号は、例えば、下り個別物理データチャネル（DownLink-Dedicated Physical Data Channel、DL−DPDCH）及び下り個別物理制御チャネル（DownLink-Dedicated Physical Control Channel、DL−DPCCH）を通じて送信される。送信される信号の電力を制御するために、基地局装置は、移動局装置から受信した、上り個別物理制御チャネル（UpLink- Dedicated Physical Control Channel、UL-DPCCH）を通じて送信される送信電力制御コマンド（Transmission Power Control、TPC）を使用する。【０００５】
また、3GPPにより策定されたRelease5以降の規格において定義されている、High Speed Downlink Packet Access（HSDPA）の呼制御では、ユーザデータを送信するチャネルの一つとして、高速物理ダウンリンク共有チャネル（High Speed Physical Downlink Shared Channel、HS−PDSCH）が規定されている。さらに、HSDPAでは、そのHS−PDSCHを通じてデータを送信するための制御情報を送信する高速共有制御チャネル（High Speed Shared Control Channel、HS−SCCH）が規定されている。HS−SCCHの送信電力は、DL−DPCCHの送信電力とHS−SCCHの送信電力オフセットの和によって決定される。HSDPAに準拠した呼制御を採用した移動体通信システムにおいて、移動局装置の通信セル数が変動した場合、DL−DPCCHの送信電力が増減する。そこで、HS−SCCHの送信電力が、通信セル数の変動に影響されないようにするために、基地局装置は、HS−SCCHの送信電力オフセットを調整する。通信セル数の変動が生じる場合、HS−SCCHの送信電力オフセットを調整するために、RNCと基地局装置及び移動局装置との間で、所定の順序で制御信号が互いに送受信される。【０００６】
このように、移動局装置と基地局装置は、通信を継続するために、必要な制御情報を共有し、その制御情報に基づいて、所定のタイミングで設定を更新する。そこで、基地局装置と移動局装置が、所定の制御情報を共有することを可能とし、その制御情報に基づいて、基地局装置と移動局装置が同時に設定を更新することを可能とする技術が開発されている（例えば、特許文献１〜３を参照）。
例えば、そのような公知技術の一例では、基地局制御器が高速順方向パケット接続サービスに関する情報を生成、または変更すると、情報が変更されたことを示すインジケータと共に生成、または変更された情報を基地局と端末機に伝送する。基地局及び端末機が生成、または変更された情報を受信して同一の時点で同一に動作する。この公知技術では、基地局制御器が情報を変更するタイミングは、システムフレーム番号（System Frame Number、SFN）により規定され、そのタイミングは、基地局制御器から基地局及び端末機へ通知される。【０００７】
また、公知技術の他の一例では、ハンドオーバの開始時において、無線ネットワークコントローラは個々のサービス基地局に移動局への送信パワーを測定するよう命令する。各サービス基地局は自分の、移動局への送信パワーを測定し、パワーレベル測定値を無線ネットワークコントローラへ報告する。ダイバーシチハンドオーバ状態に加わろうとしている新しいターゲット基地局への初期送信パワー設定が決定され、例として特定の時間に同期させられるサービス基地局の新しいパワー設定が決定される。ちょうど、もしくはほぼ同期時間に、ターゲット基地局は初期パワー設定で移動局へ送信し、同時又はほぼ同時にサービス基地局が自らの送信パワーを新しい値に向けて調整する。
公知技術のさらに他の一例では、各基地局が基地局選択信号の欠落量を調べ、欠落量がある一定値以上であれば、本来は非主基地局であっても送信電力の抑制を行わないようにする。移動局での主基地局の更新タイミングが同期するように、ソフトハンドオーバ組内の各基地局は事前に決めたタイミングにより常に主基地局状態の更新を行う。また、この公知技術では、全ての基地局において、同一の通し番号の下り回線スロットに基づいて出力状態が更新される。
【先行技術文献】
【特許文献】
【０００８】
【特許文献１】特開２００３−１１５７９６号公報
【特許文献２】特表２００２−５０９３８１号公報
【特許文献３】特開２００２−１８５４００号公報
【発明の概要】
【発明が解決しようとする課題】
【０００９】
上記の公知技術では、基地局装置及び移動局装置の設定情報を変更するタイミングはRNCにより決定される。そしてRNCは、設定情報を変更する度に、設定情報を変更するタイミングを移動局装置及び基地局装置へ通知する。また、移動局装置及び基地局装置は、その通知を受け取ったことを報告するためのメッセージをRNCへ送信する。そのため、設定情報の変更が生じる度に、各装置間で制御情報が送受信されることになる。
また、移動局装置が他の装置と通信している間、その移動局装置の通信セル数は頻繁に増減する。そして通信セル数が変更される度に、RNCと基地局装置及び移動局装置との間で、通信セル数を変更するために必要な制御情報が送受信される。そして、移動体通信システムに接続されている移動局装置の数が多いほど、その制御情報に関する通信量も増加する。そのため、移動体通信システムに接続されている移動局装置の数が増えるにつれて、移動体通信システム全体に対するネットワークの負荷及び消費電力が増大する。場合によっては、通信量の増大に伴って輻輳が生じ、その結果として移動体通信システム全体が異常停止してしまうおそれがあった。【００１０】
そこで本明細書は、移動局装置と基地局装置の設定情報を変更するために必要な通信量を抑制できる移動体通信システム、移動局装置、基地局装置及び設定変更方法を提供することを目的とする。
【課題を解決するための手段】
【００１１】
一つの実施形態によれば、基地局装置と、基地局装置と無線接続される移動局装置とを有する移動体通信システムが提供される。この移動体通信システムにおいて、基地局装置は、第１のイベントが発生したときに、その第１のイベントに応じて変更される設定情報と、設定変更を行うタイミングを指定するタイミング情報と、設定変更するタイミングを算出するための基準となるアクションを基地局装置と移動局装置のそれぞれについて指定するトリガ情報とを含む設定変更情報を記憶し、かつ設定変更情報を、第１のイベントが発生する前に自装置の通信可能エリア内に存在する移動局装置へ送信する。そして移動局装置及び基地局装置は、トリガ情報に指定されたアクションが発生したときに、それぞれ、設定変更情報に含まれるタイミング情報に従って設定変更するタイミングを決定し、決定したタイミングにおいて設定変更情報に含まれる設定情報に従って設定変更する。【００１２】
他の実施形態によれば、基地局装置が提供される。この基地局装置は、所定のイベントが発生したときに、そのイベントに応じて変更される設定情報と、設定変更を行うタイミングを指定するタイミング情報と、設定変更するタイミングを算出するための基準となるアクションを自装置と移動局装置のそれぞれについて指定するトリガ情報とを含む設定変更情報を記憶する記憶部と、設定変更情報を、所定のイベントが発生する前に自装置の通信可能エリア内に存在する移動局装置へ送信する無線インターフェース部と、トリガ情報に指定されたアクションが発生したときに、設定変更情報に含まれるタイミング情報に従って設定変更するタイミングを決定し、そのタイミングにおいて設定変更情報に含まれる設定情報に従って設定変更する制御部とを有する。【００１３】
さらに他の実施形態によれば、移動局装置が提供される。この移動局装置は、所定のイベントが発生したときに、そのイベントに応じて変更される設定情報と、設定変更を行うタイミングを指定するタイミング情報と、設定変更するタイミングを算出するための基準となるアクションを基地局装置と移動局装置のそれぞれについて指定するトリガ情報とを含む設定変更情報を、基地局装置から受信する無線インターフェース部と、トリガ情報に指定されたアクションが発生したときに、設定変更情報に含まれるタイミング情報に従って設定変更するタイミングを決定し、そのタイミングにおいて設定変更情報に含まれる設定情報に従って設定変更する制御部とを有する。【００１４】
さらに他の実施形態によれば、基地局装置と、基地局装置と無線接続される移動局装置とを有する移動体通信システムにおける、設定変更方法が提供される。この設定変更方法において、基地局装置は、所定のイベントが発生したときに、そのイベントに応じて変更される設定情報と、設定変更を行うタイミングを指定するタイミング情報と、設定変更するタイミングを算出するための基準となるアクションを基地局装置と移動局装置のそれぞれについて指定するトリガ情報とを含む設定変更情報を、所定のイベントが発生する前に自装置の通信可能エリア内に存在する移動局装置へ送信し、トリガ情報に指定されたアクションが発生したときに、設定変更情報に含まれるタイミング情報に従って設定変更するタイミングを決定し、そのタイミングにおいて設定変更情報に含まれる設定情報に従って設定変更する。一方、移動局装置は、基地局装置から設定変更情報を受信し、設定変更情報に含まれるトリガ情報に指定されたアクションが発生したときに、設定変更情報に含まれるタイミング情報に従って、設定変更するタイミングを決定し、そのタイミングにおいて設定変更情報に含まれる設定情報に従って設定変更する。【００１５】
本発明の目的及び利点は、請求項において特に指摘されたエレメント及び組み合わせにより実現され、かつ達成される。
上記の一般的な記述及び下記の詳細な記述の何れも、例示的かつ説明的なものであり、請求項のように、本発明を限定するものではないことを理解されたい。
【発明の効果】
【００１６】
本明細書に開示された移動体通信システム、移動局装置、基地局装置及び設定変更方法は、移動局装置と基地局装置の設定情報を変更するために必要な通信量を抑制することができる。
【図面の簡単な説明】
【００１７】
【図１】図１は、一つの実施形態による移動体通信システムの概略構成図である。
【図２】図２は、自律設定変更情報の一例を示す図である。
【図３】図３は、設定変更処理の一例の動作シーケンス図である。
【図４】図４は、設定変更処理の他の一例の動作シーケンス図である。
【図５】図５は、変更タイミング決定方法の設定例を示す図である。
【図６】図６は、設定変更の中止処理の一例の動作シーケンスを表す図である。
【図７】図７は、切断処理の一例の動作シーケンスを表す図である。
【図８】図８は、基地局装置の概略構成図である。
【図９】図９は、上位ノード装置の概略構成図である。
【図１０】図１０は、移動局装置の概略構成図である。
【発明を実施するための形態】
【００１８】
以下、図を参照しつつ、一つの実施形態による移動体通信システムについて説明する。
この移動体通信システムでは、基地局装置と移動局装置が同期して設定を変更する必要があるイベントについて、基地局装置は予め設定変更後の情報及び所定のトリガを基準とする変更タイミングを含む自律設定変更情報を記憶しておく。また、基地局装置は、自装置の通信可能エリア内に存在する移動局装置へ定期的に送信する報知情報などの制御情報に、自律設定変更情報を含めることにより、移動局装置へ自律設定変更情報を通知する。そして、基地局装置及び移動局装置は、トリガとなるイベントの発生を検知すると、それぞれ、自律設定情報を参照することにより、設定情報を変更するタイミングを自律的に決定し、そのタイミングで設定情報を変更する。これにより、この移動体通信システムは、設定情報変更時における、各装置間の通信量を抑制する。
【００１９】
図１は、一つの実施形態による移動体通信システムの概略構成図である。移動体通信システム１は、基地局装置２と、上位ノード装置３と、移動局装置４を有する。基地局装置２は、通信ネットワークを介して上位ノード装置３と接続されている。なお、図１では、例示として、移動体通信システム１には、１台の基地局装置及び１台の移動局装置が含まれる。しかし、移動体通信システム１に含まれる基地局装置の数及び移動局装置の数は１台に限られない。
【００２０】
基地局装置２は、移動局装置４と上位ノード装置３間の通信を中継する装置である。
上位ノード装置３は、移動局装置４とコアネットワーク間の通信を中継する装置である。上位ノード装置３は、例えば、RNCである。
【００２１】
移動局装置４が、基地局装置２の通信可能エリア２ａに進入すると、移動局装置４は、その通信可能エリア２ａをカバーする基地局装置２と無線通信可能になる。そして移動局装置４が、無線通信可能となった基地局装置２と無線接続されると、移動局装置４から送信されたアップリンク信号は、基地局装置２を介して上位ノード装置３へ送られる。上位ノード装置３は、受け取ったアップリンク信号をルーティングし、例えば、コアネットワークを介して別の上位ノード装置（図示せず）へ送信する。また上位ノード装置３は、別の上位ノード装置からコアネットワークを介して受信したダウンリンク信号を、移動局装置４と無線接続されている基地局装置２を介して、移動局装置４へ送信する。
なお、基地局装置２、上位ノード装置３及び移動局装置４は、例えば、それぞれ、International Telecommunication Union(IMT)-2000に準拠した装置とすることができる。
【００２２】
ここで、移動局装置４と無線接続可能な基地局装置の数、あるいはセクタ数が変動した場合、上位ノード装置３が移動局装置４の通信セル数を変更することがある。このような場合、移動局装置４と無線接続されている基地局装置２は、上記のように、移動局装置４に対する送信電力を調節する。そこで、移動局装置４と、移動局装置４に無線接続されている基地局装置２とは、通信を継続するために、基地局装置２からの送信電力に関する設定情報などを、同じタイミングで修正する。
【００２３】
基地局装置２と移動局装置４が同期して設定情報を変更するために、基地局装置２は、基地局装置２を運用するために使用される設定情報である局データの中に、何れかの設定情報を変更する場合に利用される自律設定変更情報を保持する。このような自律設定変更情報は、例えば、基地局装置２が有する記憶装置に予め記憶され、基地局装置２が起動した際に、その記憶装置から読み込まれる。あるいは、基地局装置２に対する自律設定変更情報は、上位ノード装置３が保持していてもよい。この場合、基地局装置２が起動した際に、上位ノード装置３は、基地局装置２へ送信する共通セル設定情報にその自律設定変更情報を含めてもよい。
【００２４】
移動局装置４は、無線接続可能な基地局装置２から自律設定変更情報を取得する。その際、例えば、基地局装置２は、移動局装置４に対して周期的に送信する報知情報に自律設定変更情報を含ませることができる。このようなメッセージは、例えば、報知チャネル（Broadcast Control Channel、BCCH）を通じて送信されるSystem Informationとすることができる。これにより、移動局装置４と基地局装置２は、設定情報の変更を伴うイベントが発生する前に、予めその設定情報の変更に用いられる情報を共有することができる。
【００２５】
自律設定変更情報には、所定の設定情報について、設定変更が行われた後に規定される値が含まれる。また、自律設定変更情報には、設定変更するタイミングを規定する変更タイミング情報、及び設定変更するタイミングを算出するためのトリガとなるアクションの種別を示すトリガ情報も含まれる。さらに、自律設定変更情報には、基地局装置２及び移動局装置４の何れか一方においてトリガとなるアクションが発生してから、他方においてそのトリガに対応するアクションが発生するまでの時間差の推定値を表すトリガ時間差情報を含んでもよい。
【００２６】
本実施形態では、変更タイミング情報として、コネクションフレーム番号（Connection Frame Number、CFN）で定義される特定タイミングが設定される。この特定タイミングは、CFNが取り得る値の範囲、例えば、0〜255の範囲内の任意の値であり、また変更タイミング情報には、トリガに相当するアクション発生後に繰り返されるCFNの周期の繰り返し回数も含まれる。なお、CFNは、ダウンリンク信号の各フレームに一つずつ割り当てられる数値であり、0から順に1ずつ大きな値となる。そして、CFNが取り得る最大値（すなわち、255）に達すると、その次のフレームには、CFNの最小値（すなわち、0）が割り当てられる。
また、トリガ情報として、例えば、基地局装置２については、通信セル数を変更するための制御コマンドを受信したこと、又はその制御コマンドに対する応答メッセージを送信したことが規定される。このような制御コマンドには、例えば、Radio Link Addition Request及びRadio Link Deletion Requestが含まれる。また、応答メッセージには、Radio Link Addition Response及びRadio Link Deletion Responseが含まれる。また、移動局装置４については、トリガ情報として、例えば、通信セルセットの更新情報であるActive Set Updateを受信したこと、あるいはそのコマンドに対する応答メッセージであるActive Set Update Completeを送信したことが含まれる。
【００２７】
トリガ時間差情報は、例えば、基地局装置２及び移動局装置４の何れか一方でトリガ情報に規定されるアクションが発生してから、他方でトリガ情報に規定されるアクションが発生するまでの推定期間をミリ秒単位で表したものとすることができる。あるいは、トリガ時間差情報は、その推定期間に相当するフレーム数であってもよい。トリガ時間差情報に基づいて、例えば、基地局装置２でトリガとなるアクションが発生したときのCFNの周期と、移動局装置４でトリガとなるアクションが発生したときのCFNの周期が異なっても、基地局装置２及び移動局装置４その周期のずれを推定できる。
ただし、このトリガ時間差情報はあくまで推定値である。そのため、基地局装置２及び移動局装置４の一方においてトリガとなるアクションが発生してから、他方においてトリガとなるアクションが発生するまでに要する実際の時間は、トリガ時間差情報に表された時間からずれることがある。そこで、移動局装置４と基地局装置２が同時に設定変更を実施するために、トリガ時間差情報だけでなく、設定変更を実行する特定のタイミングを指定する情報を用いることができる。
【００２８】
図２は、自律設定変更情報の一例を示す図である。この自律設定変更情報２００は、移動局装置４の通信セル数変更というイベントに関するものである。そして自律設定変更情報２００には、HSDPAにおける呼制御の通信セル数が変動する際に変更されるHS−SCCHの送信電力オフセット値が含まれる。この送信電力オフセット値は、変更後の通信セル数に応じた設定値が規定される。例えば、通信セル数１に対して、オフセット値Ａが規定されている。なお、自律設定変更情報２００は、オフセット値そのものの代わりに、設定変更前の通信セル数Npに対する設定変更後の通信セル数Naの比(Na/Np)が現在設定されているオフセット値に乗じられることを示す記号を含んでもよい。また、自律設定変更情報２００では、基地局装置２に対するトリガ情報として、通信セル数の変更コマンドの受信を表すコードＸＸＸが含まれる。さらに、移動局装置４に対するトリガ情報として、通信セルセット更新情報の受信を表すコードＹＹＹが含まれる。さらに変更タイミング情報として、CFN値＝１００という特定のタイミングが指定され、かつ繰り返し回数＝５が指定されている。さらに、トリガ時間差情報として、500msecが指定されている。
【００２９】
図３は、移動体通信システム１における、設定情報変更処理の動作シーケンス図である。この例では、基地局装置２が有する複数のセクタのうち、移動局装置４との無線接続に利用されていないセクタにおいて新たに移動局装置４が無線接続される。すなわち、移動局装置４の通信セルが追加される。そして移動局装置４の通信セル数の増加に伴い、設定情報変更処理としてHS-SCCHの送信電力オフセットが変更される。
【００３０】
基地局装置２は起動すると、自装置が有する記憶部から局データ設定を読み込み、その局データ設定に従ってHS-SCCHの送信電力オフセットを設定する。また基地局装置２は、自装置が有する記憶部から自律設定変更情報を読み込む。この例では、変更タイミング情報に含まれる特定タイミングとして、CFNの値が100、トリガに相当するアクション発生後に繰り返されるCFNの周期の数が5に設定される。また、トリガ時間差情報は500msec、すなわち、フレーム数50に設定される。そして基地局装置２に対するトリガ情報として、通信セル数の変更コマンドの受信が設定され、移動局装置４に対するトリガ情報として、通信セルセットの更新情報の受信が設定される。
【００３１】
基地局装置２は、起動したことを上位ノード装置３へ通知する（ステップＳ１０１）。
上位ノード装置３は、起動したことを通知した基地局装置２に対して、システム情報更新を要求する（ステップＳ２０１）。例えば、上位ノード装置３は、NodeB Application Part（NBAP）などの呼制御プロトコルで規定された、System Information Update Requestといったシステム情報更新を要求するコマンドを基地局装置２へ送信する。
基地局装置２は、システム情報を更新すると、システム情報が更新されたことを上位ノード装置３へ報告する（ステップＳ１０２）。その際、基地局装置２は、例えば、NBAPのSystem Information Update Responseを上位ノード装置３へ送信する。
【００３２】
また、基地局装置２は、無線リソース制御（Radio Resource Control、RRC）プロトコルに従って、報知情報を自装置の通信可能エリア内に存在する移動局装置４へ通知する（ステップＳ１０３）。その際、基地局装置２は、報知情報であるSystem Informationに自律設定変更情報を含め、そのSystem InformationをBCCHを通じて一定の時間間隔で周期的に送信する。これにより、基地局装置２の通信可能エリアに進入した移動局装置４は、その基地局装置２と自律設定変更情報を共有できる。
その後、移動局装置４から他の通信端末への通信開始が要求され、あるいは他の通信端末から移動局装置４への通信開始が要求されると、基地局装置２を介して、移動局装置４と上位ノード装置３との間に呼設定が行われる。そして移動局装置４と上位ノード装置３間の接続が確立される（ステップＳ３０１）。例えば、その呼設定は、HSDPAに従って行われる。
【００３３】
その後、移動局装置４の通信セル数を追加する条件が満たされると、上位ノード装置３は、通信セルの追加を、移動局装置４と既に無線接続されている基地局装置２へ通知する（ステップＳ２０２）。
本実施形態では、NBAPプロトコルに従って上位ノード装置３から基地局装置２へ送信される通信セルの追加を要求するためのコマンドであるRadioLink Addition Requestを受信したことが、基地局装置２が設定変更を実行するトリガである。例えば、基地局装置２は、CFN=10のタイミングでこの制御コマンドを受信したとする。そして基地局装置２は、トリガとなるアクションが発生したときのCFNの値を自装置が有する記憶装置に記憶する。
基地局装置２は、通信セルを追加したことを、NBAPプロトコルに従ってRadioLink Addition Responseメッセージを上位ノード装置３へ送信することにより、上位ノード装置３へ報告する（ステップＳ１０４）。
【００３４】
また、上位ノード装置３は、通信セル数が変更された後の通信セルのセットの更新情報を移動局装置４へ通知する（ステップＳ２０３）。
本実施形態では、上位ノード装置３は、RRCプロトコルに従って、個別制御チャネル（Dedicated Control Channel、DCCH）を通じて通信セルのセットを通知するためのコマンドであるActive Set Updateを移動局装置４へ送信する。そして移動局装置４では、このActive Set Updateを受信したことが、移動局装置４が設定変更を実行するトリガである。例えば、移動局装置４は、CFN=59のタイミングでこの制御コマンドを受信したとする。そして移動局装置４は、トリガとなるアクションが発生したときのCFNの値を自装置が有する記憶装置に記憶する。
移動局装置４は、通信セルのセットを更新したことを、RRCプロトコルに従って、DCCHを通じてActive Set Update Completeを上位ノード装置３へ送信することにより、通信セルのセットの更新を上位ノード装置３へ報告する（ステップＳ３０２）。
【００３５】
基地局装置２は、設定変更を実行する変更タイミングを算出する（ステップＳ１０５）。基地局装置２は、次式に従って、基地局装置２に対するトリガ発生時を基準（すなわち、0msec）とする変更タイミングTbc（msec）を算出する。
【数１】
2011042973.tif 000003
ここでCFNcは、自律設定変更情報に含まれる特定タイミングを表すCFNであり、CFNbtrigは、トリガに相当するアクションが発生したときのCFNである。またCFNcycは、CFNが一巡するまでのフレーム数であり、例えば、256である。そしてNrは、自律設定変更情報に含まれる、トリガに相当するアクション発生後に繰り返されるCFNの周期の数である。Tfはフレームの送信間隔であり、例えば、10msecである。この例では、CFNc=100、CFNbtrig=10、CFNcyc=256、Nr=5、Tf=10であるため、Tbc=(100-10+256×5)×10=13700(msec)となる。
一方、移動局装置４も、基地局装置２とは独立して設定変更を実行する変更タイミングを算出する（ステップＳ３０３）。
移動局装置４は、次式に従って、移動局装置４に対するトリガ発生時を基準（すなわち、0msec）とする変更タイミングTmc（msec）を算出する。
【数２】
2011042973.tif 000004
ここでCFNcは、自律設定変更情報に含まれる特定タイミングを表すCFNであり、CFNmtrigは、トリガに相当するアクションが発生したときのCFNである。またCFNcycは、CFNが一巡するまでのフレーム数であり、例えば、256である。そしてNrは、自律設定変更情報に含まれる、トリガに相当するアクション発生後に繰り返されるCFNの周期の数である。Tfはフレームの送信間隔であり、例えば、10msecである。また、Tdif（msec）は、トリガ時間差情報である。またfloor(x)は、変数x以下の最大整数値を返す関数である。また、移動局装置４は、基地局装置２においてトリガに相当するアクションが発生したときのCFNであるCFNbtrigを、(CFNmtrig-Tdif/Tf)mod(256)であるとして推定する。この例では、CFNc=100、CFNmtrig=59、CFNcyc=256、Nr=5、Tf=10、Tdif=500であるため、CmtrigはCbtrigの推定値よりも大きくなるので、Tmc=(100-59+256×(5-floor(500/10/256)))×10=13210(msec)となる。
【００３６】
基地局装置２は、決定された変更タイミングにおいてHS-SCCH電力オフセットを変更する（ステップＳ１０６）。
移動局装置４は、決定された変更タイミングにおいてHS-SCCH電力オフセットを変更する（ステップＳ３０４）。
この例では、基地局装置２が通信セルの追加の通知を受け取ったタイミングと、移動局装置４が通信セルのセットの更新情報を受け取ったタイミングの差が(59-10)×10=490msecである。一方、移動局装置４が決定した変更タイミングと基地局装置２が決定した変更タイミングの差も、13700-13210=490msecとなる。そのため、移動局装置４と基地局装置２が同時にHS-SCCH電力オフセットを変更できることが分かる。
【００３７】
なお、基地局装置２に対するトリガ情報として、RadioLink Addition Responseメッセージを上位ノード装置３へ送信したことが設定されてもよく、移動局装置４に対するトリガ情報として、通信セルのセット更新完了の報告を送信したことが設定されてもよい。
さらに、基地局装置２に対するトリガ情報として、通信セルの削除の通知であるRadioLink Deletion Requestを受信したことが設定されてもよい。この場合、移動局装置４が、トリガとなるアクションであるActive Set Updateを受信した後に、基地局装置２がRadioLink Deletion Requestを受信する。このように、移動局装置４でトリガとなるアクションが発生する方が、基地局装置２でトリガとなるアクションが発生するより先である場合、移動局装置４は（１）式に従って変更タイミングを決定し、基地局装置２は（２）式に従って変更タイミングを決定する。
【００３８】
他の例として、移動体通信システム１は、変更タイミングを決定するために、ハードハンドオーバの実行タイミングを利用してもよい。この場合、自律設定変更情報の変更タイミング情報には、特定タイミングの代わりに、基準とするハードハンドオーバの発生回が含まれる。例えば、初回のハードハンドオーバが基準となる場合、変更タイミング情報には、1が設定される。なお、変更タイミング情報には、最新のハードハンドオーバ実行時が指定されてもよい。そして移動局装置４及び基地局装置２は、変更タイミング情報において指定された回のハードハンオーバ実行時のCFNを、上記の特定タイミングの代わりに使用する。
【００３９】
図４は、ハードハンドオーバの実行タイミングを利用して変更タイミングを決定する設定情報変更処理の動作シーケンスの他の例を示す図である。この例でも、設定変更の対象となる情報は、HS-SCCHの送信電力オフセットであり、設定変更を伴うイベントは、移動局装置４の通信セルの変更である。
図４では、動作シーケンスの各処理に対して、図３に示した動作シーケンスの対応する処理と同じ参照番号を付した。また図４の動作シーケンスにおけるステップＳ３１０の処理よりも前に、図３におけるステップＳ１０１〜Ｓ１０３及びＳ２０１の処理が実行される。以下では、図３に示した動作シーケンスと異なる点について説明する。
【００４０】
移動局装置４から他の通信端末への通信開始が要求され、あるいは他の通信端末から移動局装置４への通信開始が要求されると、基地局装置２を介して、移動局装置４と上位ノード装置３との間に呼設定が行われる。そして移動局装置４と上位ノード装置３間の接続が確立される（ステップＳ３１０）。例えば、その呼設定は、3GPP Release99に規定された呼制御に従って行われ、移動局装置４と上位ノード装置３との間に孤立個別制御チャネル（Stand-alone Dedicated Control Channel、SDCCH）が設定される。
その後、自律設定変更情報において指定された回のハードハンドオーバが実行される（ステップＳ３１１）。その際、移動局装置４と上位ノード装置３との間でHSDPAの呼制御プロトコルに従って呼設定処理が実行される。その呼設定処理において、上位ノード装置３は、移動局装置４に対してSDCCHを通じてハードハンドオーバの実行タイミングのCFNを通知する。この実行タイミングのCFNは、例えば、Radio Access Bearer Establishment手順などにおいて規定されるActivation Timingとして指定される。また、上位ノード装置３は、ハンドオーバ後に移動局装置４と無線接続される基地局装置２に対して、ハードハンドオーバの実行タイミングのCFNを通知する。移動局装置４及び基地局装置２は、ハードハンドオーバの実行タイミングのCFNを記憶する。
【００４１】
その後、上位ノード装置３から、基地局装置２及び移動局装置４に対して、それぞれ、設定変更のトリガとなる、通信セル数の変更コマンド、通信セルのセットの更新情報が通知される（ステップＳ２０２、Ｓ２０３）。
そして基地局装置２及び移動局装置４は、互いに独立して変更タイミングを算出する（ステップＳ１０５、Ｓ３０３）。その際、基地局装置２及び移動局装置４は、記憶しているハードハンドオーバの実行タイミングのCFNをCFNcとして、上記の（１）式及び（２）式に従って変更タイミングTbc、Tmcを算出できる。
【００４２】
そして基地局装置２及び移動局装置４は、それぞれ、決定された変更タイミングにおいてHS-SCCH電力オフセットを変更する（ステップＳ１０６、Ｓ３０４）。
この例では、ハードハンドオーバは移動局単位で発生するため、基地局装置において、同じタイミングで実行される設定変更処理の数を抑制することができる。
【００４３】
さらに他の例として、移動体通信システム１は、下り方向の個別物理チャネル（Dedicated Physical Channel、DPCH）を通じて情報を送信するタイミングから算出されるCFNを、変更タイミングを決定するために利用してもよい。この場合、自律設定変更情報の変更タイミング情報には、特定タイミングの代わりに、送信タイミングを基準とすることを示すコードが含まれる。そしてこの場合も、基地局装置２及び移動局装置４は、図３に示される動作シーケンスに従って設定変更処理を実行することができる。そして、図３に示されるステップＳ３０１において、呼設定がなされる際に、DPCHを通じた情報の送信タイミングを決定するために上位ノード装置３が設定したChipOffsetが、変更タイミングを決定するために使用される。また、図３に示される動作シーケンスのステップＳ１０５、Ｓ３０３において、基地局装置２及び移動局装置４は、以下のように変更タイミングのCFNを決定する。
【００４４】
この場合、基地局装置２及び移動局装置４は、各通信呼について、次式に従って変更タイミングのCFNを算出する。
【数３】
2011042973.tif 000005
CFNctは、仮に求められる変更タイミングのCFN値である。またChipOffsetは、移動局装置ごとに設定されるChip単位のオフセット値であり、0〜38399の範囲に含まれる何れかの値となる。なお、1フレームには、38400のChipが含まれる。またfloor(x)は、変数x以下の最大整数値を返す関数である。
なお、ChipOffsetは、フレーム単位のオフセットとChip単位のオフセットを組み合わせた値として規定される場合もある。このフレーム単位のオフセットとChip単位のオフセットを組み合わせた値をChipOffsettotalとすると、移動局装置４及び基地局装置２は、上記の（３）式に代入するChipOffsetの値を次式により求める。
【数４】
2011042973.tif 000006
【００４５】
さらに、変更タイミングとなるCFNは、ハードハンドオーバのタイミングとして指定可能なタイミングに制限される。指定可能なタイミングは、ハードハンドオーバが実行される前後において、全てのチャネルについての送信タイミングがInterleaveの区切りとなるタイミングでなければならない。各チャネルを通じて送信される信号の送信周期は異なる。そのため、Interleaveの区切りとなるタイミングでなければ、ハードハンドオーバー実行後に、移動局装置４が、何れかのチャネルを通じて受信した信号を再生できなくなり、その結果として通信が継続できなくなるおそれがあるためである。
そこで、移動局装置４及び基地局装置２は、それぞれ、（３）式により仮に求められた変更タイミングのCFNctが、ハードハンドオーバに関する上記の判定条件を満たすか否か判定する。そしてこのハードハンドオーバに関する判定条件が満たされない場合、移動局装置４及び基地局装置２は、この判定条件が満たされるまで、CFNct値を補正する。
ハードハンドオーバに関する判定条件が満たされるか否か判定するために、移動局装置４及び基地局装置２は、それぞれ、次式に従って判定値を求める。
【数５】
2011042973.tif 000007
ここでnは、移動局装置４が基地局装置２を介して通信するために利用しているチャネルの数を表す。またtiは、チャネルiのInterleave区切りである。CFNctは、（３）、（４）式により算出されたCFN値である。そしてJiは、チャネルiに対する判定値である。
移動局装置４及び基地局装置２は、全てのチャネルに対する判定値が0であれば、上記の判定条件は満たされると判定する。この場合、移動局装置４及び基地局装置２は、CFNctを、変更タイミングを表すCFN値とする。
【００４６】
一方、何れかのチャネルにおける判定値が0でなければ、移動局装置４及び基地局装置２は、CFNct値に所定数（例えば、1あるいは-1）加算する。そして移動局装置４及び基地局装置２は、補正後のCFNct値を用いて、再度（５）式に従って、各チャネルに対する判定値を求めることにより、判定条件が満たされるか否か判定する。移動局装置４及び基地局装置２は、判定条件が満たされるまで、CFNct値を補正する。なお、所定数は、予め定められ、移動局装置４及び基地局装置２に記憶されていてもよい。あるいは、所定数は、自律設定変更情報に含まれ、基地局装置２が移動局装置４へ自律設定変更情報を送ることにより、移動局装置４と基地局装置２は、同一の所定数を設定できるようにしてもよい。
【００４７】
以下に、変更タイミングを決定する際の処理の一例を示す。
呼設定時において、ChipOffsettotalが207360に設定されたとする。また、移動局装置４が通信に利用するチャネルは３個であり、各チャネルのInterleave区切りは、それぞれ、1、2、4であったとする。またCFNct値を補正するための所定数は-1であったとする。
移動局装置４及び基地局装置２は、（４）式にChipOffsettotal（=207360）を代入することにより、ChipOffsetを15360とする。そして移動局装置４及び基地局装置２は、このChipOffsetの値を（３）式に代入することにより、CFNctとして102を得る。
次に、移動局装置４及び基地局装置２は、得られたCFNct値を（５）式に代入することにより、各チャネルの判定値を得る。この場合、Interleave区切りが4であるチャネルについての判定値が2となるので、判定条件は満たされない。
そこで移動局装置４及び基地局装置２は、CFNct値に所定数を加算する。この場合、所定数は-1なので、補正されたCFNct値は101となる。この場合、Interleave区切りが2、4であるチャネルについての判定値がそれぞれ1となるので、判定条件は満たされない。そこで移動局装置４及び基地局装置２は、CFNct値に所定数を再度加算する。そのため、補正されたCFNct値は100となる。この場合、全てのチャネルに対する判定値が0となるので、判定条件は満たされる。そこで移動局装置４及び基地局装置２は、変更タイミングを表すCFN値を100に設定する。
基地局装置２及び移動局装置４は、変更タイミングを表すCFN値が決定されると、そのCFN値をCFNcとして、上記の（１）式及び（２）式に従って変更タイミングTbc、Tmcを算出できる。
【００４８】
基地局装置２は、その基地局装置２と無線接続されている移動局装置が複数存在する場合、各移動局装置に対する変更タイミングの決定方法を、上記の３通りの方法から選択して適用してもよい。
例えば、基地局装置ごとに、接続されている全ての移動局装置に対して適用される変更タイミング決定方法が設定されてもよい。あるいは、一つの基地局装置が設定するセクタごとに、あるいはキャリア（すなわち、搬送波の周波数）ごとに適用される変更タイミング決定方法が設定されてもよい。さらにまた、セルごと、すなわち、個々の無線接続ごとに、適用される変更タイミング決定方法が設定されてもよい。
【００４９】
図５は、変更タイミング決定方法の設定例を示す図である。図５において、欄５０１〜５０３に示されたBTS1〜BTS3は、それぞれ、一つの基地局装置を表す。そして各基地局装置について、それぞれ６個のセクタが設定されており、各列は、一つのセクタを表す。また、各基地局装置では、４個のキャリアが使用されているものとし、各行が一つのキャリアを表す。そして各欄に記載された記号D、H、Cは、それぞれ、適用される変更タイミング決定方法を表す。記号Dは、変更タイミングとして特定タイミングを自律設定変更情報にて指定する方法を表し、記号Hは、ハードハンドオーバを基準として変更タイミングを決定する方法を表し、記号Cは、Chip Offsetに基づいて変更タイミングを決定する方法を表す。
グループ５１０に示されるように、基地局装置BTS1では、セクタ１において接続されている全ての移動局装置に対して、特定タイミングを自律設定変更情報にて指定する方法が適用される。一方、グループ５１１に示されるように、セクタ５において接続されている移動局装置に対しては、個々の無線接続ごとに適用される変更タイミング決定方法が異なる。また、グループ５１２に示されるように、基地局装置BTS2では、キャリア１を用いて通信する全ての移動局装置に対して、特定タイミングを自律設定変更情報にて指定する方法が適用される。さらに、グループ５１３に示されるように、基地局装置BTS3は、自装置に接続されている全ての移動局装置に対して、Chip Offsetに基づいて変更タイミングを決定する方法を適用している。
【００５０】
複数の変更タイミング決定方法が使用される場合、基地局装置２は、各変更タイミング決定方法に応じた自律設定変更情報を、その変更タイミング決定方法の種別を表す情報とともに記憶しておく。そして基地局装置２は、自律設定変更情報を報知情報に含めて移動局装置４へ送信する際、その報知情報に変更タイミング決定方法の種別を表す情報も含める。移動局装置４は、受信した報知情報に含まれる変更タイミング決定方法の種別を表す情報を参照することにより、適用される変更タイミング決定方法を特定できる。
【００５１】
このように、基地局装置２は、複数の変更タイミング決定方法を使用することにより、基地局装置２に対して無線接続されている複数の移動局装置４に対して設定変更処理が行われるタイミングを異ならせることが可能となる。そのため、基地局装置２は、設定変更処理を実行することによる負荷を時間的に分散させることができる。
【００５２】
ここで、上記の各変更タイミング決定方法について、設定変更処理に要する処理量と複数の移動局装置に対して設定変更するタイミングが競合する可能性について説明する。
処理量に関して、特定タイミングを自律設定変更情報にて指定する方法の処理量が最も少なく、一方、Chip Offsetに基づいて変更タイミングを決定する方法の処理量が最も多い。これは、Chip Offsetに基づいて変更タイミングを決定する方法では、上記の（１）式の他、（３）〜（５）式の演算が実行されなければならず、特定タイミングを自律設定変更情報にて指定する方法では、（１）式の演算のみが実行されるためである。また、ハードハンドオーバを基準として変更タイミングを決定する方法では、基地局装置は、（３）〜（５）式の演算を行わなくてもよいが、自律設定変更情報で指定された特定回のハードハンドオーバ実行時のCFNを自装置の記憶部に記憶する。そのため、ハードハンドオーバを基準として変更タイミングを決定する方法の処理量は、特定タイミングを自律設定変更情報にて指定する方法の処理量よりも多くなるが、Chip Offsetに基づいて変更タイミングを決定する方法の処理量よりも少ない。
【００５３】
設定変更タイミングの競合に関して、Chip Offsetに基づいて変更タイミングを決定する方法についてタイミング競合する可能性が最も低く、一方、特定タイミングを自律設定変更情報にて指定する方法についてタイミング競合する可能性が最も高い。一律に特定タイミングが指定されると、複数の移動局装置について同時にトリガとなるアクション（例えば、通信セル数の変動の通知）が発生する場合、各移動局装置に対する設定変更の実行タイミングが同一となる。これに対し、Chip Offsetの値は、上位ノード装置３により、移動局装置ごとに信号の送信タイミングが異なるように、移動局装置ごとに異なる値に設定される。そのため、複数の移動局装置について同時に通信セル数が変動する場合でも、各移動局装置に対する設定変更の実行タイミングは異なる。また、ハードハンドオーバを基準として変更タイミングを決定する場合、ハードハンドオーバの実行タイミングに応じて設定変更の実行タイミングが決定されるため、呼量が増えるほど、設定変更の実行タイミングが競合する可能性が高くなる。そのため、ハードハンドオーバを基準として変更タイミングを決定する方法についてタイミング競合する可能性は、特定タイミングを自律設定変更情報にて指定する方法についてタイミング競合する可能性よりも低い。しかし、ハードハンドオーバを基準として変更タイミングを決定する方法についてタイミング競合する可能性は、Chip Offsetに基づいて変更タイミングを決定する方法についてタイミング競合する可能性よりも高い。
【００５４】
このように、設定変更のタイミング決定方法によって、処理量及び実行タイミングの競合可能性が異なる。そこで、例えば、基地局装置２は、初期設定において、設定変更のタイミングが競合する可能性が低いグループには、特定タイミングを自律設定変更情報にて指定する方法あるいはハードハンドオーバを基準として変更タイミングを決定する方法を適用する。一方、基地局装置２は、設定変更のタイミングが競合する可能性が高いグループには、Chip Offsetに基づいて変更タイミングを決定する方法あるいはハードハンドオーバを基準として変更タイミングを決定する方法を適用する。基地局装置は、通信量、あるいは無線接続される移動局装置の数が多いほど、設定変更のタイミングが競合する可能性が高いと判定できる。そこで、例えば、基地局装置２に同時に接続される移動局装置の数が少ないと想定される場合には、全ての移動局装置に対して特定タイミングを自律設定変更情報にて指定する方法を適用する。また、基地局装置２が有する複数のセクタのうちの第１のセクタ、第２のセクタ、第３のセクタの順に、同時に接続される移動局装置の数が多いとする。この場合、例えば、基地局装置２は、第１のセクタに接続される移動局装置に対してChip Offsetに基づいて変更タイミングを決定する方法を適用してもよい。また、基地局装置２は、第２のセクタに接続される移動局装置に対してハードハンドオーバを基準として変更タイミングを決定する方法を適用してもよい。そして、基地局装置２は、第３のセクタに接続される移動局装置に対して特定タイミングを自律設定変更情報にて指定する方法を適用してもよい。
【００５５】
さらに、基地局装置２は、例えば、所定の単位で、所定期間内の通信量または接続された移動局装置の数の統計量（例えば、平均値、最頻値、中央値あるいは最大値）を求め、その統計量に従って、その所定の単位ごとに変更タイミング決定する方法を選択してもよい。所定の単位は、例えば、基地局単位、セクタ単位、キャリア単位あるいはセル単位とすることができる。また、所定期間は、例えば、直近の１分間または１時間、あるいは、過去１週間あるいは１ヶ月間の現在時刻と同時刻とすることができる。
この場合、基地局装置２は、通信量または接続された移動局装置の数の統計量が設定変更のタイミングが競合する可能性が低いことに相当する第１の閾値未満であれば、特定タイミングを自律設定変更情報にて指定する方法を選択する。一方、通信量または接続された移動局装置の数の統計量が設定変更のタイミングが競合する可能性が高いことに相当する第２の閾値以上であれば、基地局装置は、Chip Offsetに基づいて変更タイミングを決定する方法を選択する。そして呼量または接続された移動局装置の数の統計量が第１の閾値以上であり、かつ第２の閾値未満であれば、基地局装置は、ハードハンドオーバを基準として変更タイミングを決定する方法を選択する。
【００５６】
なお、移動局装置が通信するセルごとに、変更タイミングの設定方法が異なる場合、そのうちの何れか一つのセルについて設定されている変更タイミングの設定方法が適用される。例えば、通信セルが新たに追加される場合、従来より使用されている通信セルについて設定されている変更タイミングの設定方法が適用される。
【００５７】
さらに、基地局装置２及び基地局装置２と無線接続されている移動局装置４は、その移動局装置４の通信状態あるいは通信能力に応じて、適用される変更タイミング決定方法を設定してもよい。例えば、移動局装置４がHSDPAに対応しているか否か、Enhanced UpLink（EUL）に対応しているか否か、HSDPA、EULに対応している場合には、移動局装置４の受信能力及び送信能力が属しているカテゴリに基づいて適用される変更タイミング決定方法が選択される。あるいは、移動局装置４がセッション中に行ったハードハンドオーバの回数、または通信セル数に基づいて適用される変更タイミング決定方法が選択されてもよい。
【００５８】
例えば、基地局装置２は、無線接続されている移動局装置４がEULに対応していない場合、特定タイミングを自律設定変更情報にて指定する方法を適用してもよい。一方、基地局装置２は、無線接続されている移動局装置４がEULに対応し、かつ送信能力のカテゴリが奇数である場合、ハードハンドオーバを基準として変更タイミングを決定する方法を適用してもよい。さらに、基地局装置２は、無線接続されている移動局装置４がEULに対応し、かつ送信能力のカテゴリが偶数である場合、Chip Offsetに基づいて変更タイミングを決定する方法を適用してもよい。
また、基地局装置２は、無線接続されている移動局装置４における受信能力のカテゴリが1〜6の範囲内である場合、Chip Offsetに基づいて変更タイミングを決定する方法を適用してもよい。一方、基地局装置２は、無線接続されている移動局装置４における受信能力のカテゴリが7〜10の範囲内である場合、ハードハンドオーバを基準として変更タイミングを決定する方法を適用してもよい。
さらに、基地局装置２は、セッション中においてハードハンドオーバが一度も実行されていない場合、特定タイミングを自律設定変更情報にて指定する方法を適用してもよい。一方、基地局装置２は、ハードハンドオーバの実行回数が奇数であれば、ハードハンドオーバを基準として変更タイミングを決定する方法を適用し、その実行回数が偶数であれば、Chip Offsetに基づいて変更タイミングを決定する方法を適用してもよい。
さらに、基地局装置２は、無線接続されている移動局装置４の通信セル数が1であれば、特定タイミングを自律設定変更情報にて指定する方法を適用してもよい。そして基地局装置２は、移動局装置４の通信セル数が2であれば、ハードハンドオーバを基準として変更タイミングを決定する方法を適用し、移動局装置４の通信セル数が3であれば、Chip Offsetに基づいて変更タイミングを決定する方法を適用してもよい。
【００５９】
基地局装置２及び移動局装置４が移動局装置４の通信状態または通信能力に応じて変更タイミングを決定する方法を選択する場合、例えば、自律設定変更情報は、各通信状態または通信能力を表すコードとともに、対応する変更タイミング情報を含む。そして基地局装置２及び移動局装置４は、自律設定変更情報に含まれるトリガ情報に規定されたアクションが発生したとき、自律設定変更情報を参照し、そのアクション発生時の移動局装置４の通信状態または通信能力に対応する変更タイミング情報を特定する。
【００６０】
また、この移動体通信システム１は、設定変更処理に関する一連の手順が実行されている間に、基地局装置２か移動局装置４の何れかで異常が生じると、設定変更処理を中止する。例えば、基地局装置２に対するトリガとなるアクションが、上位ノード装置３からの通信セル数の追加コマンドの受信であり、移動局装置４に対するトリガとなるアクションが、上位ノード装置３からの通信セルのセットの更新情報の受信であるとする。そして、基地局装置２が、通信セル数を追加するコマンド（RadioLink Addition Request）を受信してから、移動局装置４が通信セルのセットの更新情報（Active Set Update）を受信するまでの間に、基地局装置２において異常が生じたとする。この場合、基地局装置２は、上位ノード装置３へ異常が発生したことを通知する。そして基地局装置２は、通信セル数に関する設定を元に戻す。また、上位ノード装置３は、通信セル数を追加するコマンドを移動局装置４へ送信しない。このため、移動体通信システム１は、上位ノード装置３、基地局装置２及び移動局装置４の各装置間で設定が不一致となることを防止できる。
【００６１】
次に、基地局装置２と移動局装置４のうち、設定変更のトリガとなるアクションが後で発生した装置において、設定変更を行う前に異常が発生した場合における設定変更の中止処理について説明する。
図６は、そのような設定変更の中止処理の一例の動作シーケンスを表す図である。
図６では、動作シーケンスの各処理に対して、図３に示した動作シーケンスの対応する処理と同じ参照番号を付した。また図６の動作シーケンスにおけるステップＳ３０１の処理よりも前に、図３におけるステップＳ１０１〜Ｓ１０３及びＳ２０１の処理が実行される。以下では、図３に示した動作シーケンスと異なる点について説明する。
【００６２】
基地局装置２、上位ノード装置３及び移動局装置４の間で呼設定がなされ（ステップＳ３０１）、その後、移動局装置４の通信セル数の追加に伴って、ステップＳ２０２、２０３、Ｓ１０４及びＳ３０２の各処理が実行される。そしてステップＳ３０２にて移動局装置４が通信セルのセットを更新したことを上位ノード装置３へ報告した後に、移動局装置４で異常が発生したとする。この場合、移動局装置４は、HS-SCCHの送信電力オフセットを変更する処理（図３におけるステップＳ３０４）を実行しない。その代わりに、移動局装置４は、例えば、RRCプロトコルに従って、異常が発生したことを上位ノード装置３へ通知する（ステップＳ３２１）。一方、上位ノード装置３は、ステップＳ２０２及びＳ１０４の処理で追加された通信セルを削除するコマンド（例えば、NBAPプロトコルのRadioLink Deletion Request）を、基地局装置２へ送信する（ステップＳ２２１）。そして基地局装置２は、通信セルを削除するコマンドを受け取ると、最後に追加された通信セルを削除する。そして基地局装置２は、通信セルを削除したこと示すメッセージ（例えば、NBAPプロトコルのRadioLink Deletion Response）を上位ノード装置３へ報告する（ステップＳ１２１）。これにより、移動体通信システム１に含まれる各装置の設定がステップＳ２０２の前の状態に戻り、かつ基地局装置２と移動局装置４の設定変更が中止される。そのため、基地局装置２の設定と移動局装置４の設定に不一致が生じることが防止され、移動局装置４は通信を継続できる。
【００６３】
さらに、基地局装置２または移動局装置４が設定変更中、あるいは設定変更を行った後に異常が発生した場合、この移動体通信システム１は、各装置間の接続を切断し、その後再接続処理を実行する。
図７は、そのような切断処理の一例の動作シーケンスを表す図である。
図７では、動作シーケンスの各処理に対して、図３に示した動作シーケンスの対応する処理と同じ参照番号を付した。また図７の動作シーケンスにおけるステップＳ３０１の処理よりも前に、図３におけるステップＳ１０１〜Ｓ１０３及びＳ２０１の処理が実行される。以下では、図３に示した動作シーケンスと異なる点について説明する。
【００６４】
基地局装置２、上位ノード装置３及び移動局装置４の間で呼設定がなされ（ステップＳ３０１）、その後、移動局装置４の通信セル数の追加に伴って、ステップＳ２０２、２０３、Ｓ１０４及びＳ３０２の各処理が実行される。さらに、基地局装置２は、ステップＳ１０５、Ｓ１０６の処理を実行することにより、HS-SCCHの送信電力オフセット値を変更する。また移動局装置４も、ステップＳ３０３の処理を実行することにより、基地局装置２と同時にHS-SCCHの送信電力オフセット値を変更できるように、その変更タイミングを決定する。しかし、ステップＳ３０４において、移動局装置４がHS-SCCHの送信電力オフセット値を変更する際に、異常が発生したとする。
そこで移動局装置４は、例えば、RRCプロトコルに従って、異常が発生したことを上位ノード装置３へ通知する（ステップＳ３３１）。一方、上位ノード装置３は、NBAPプロトコルに従って、基地局装置２へ呼解放を指示するコマンドを送信する（ステップＳ２３１）。また上位ノード装置３は、RRCプロトコルに従って、移動局装置４へ呼解放を指示するコマンドを送信する（ステップＳ２３２）。なお、ステップＳ２３１の処理とステップＳ２３２の処理の順序は入れ替わってもよい。
その後、基地局装置２、上位ノード装置３及び移動局装置４は、呼解放処理を実行する（ステップＳ３３２）。その後、所定期間経過した後、基地局装置２、上位ノード装置３及び移動局装置４は、呼設定処理を再度実行してもよい。
【００６５】
以下に、上記の処理を実現するための、移動体通信システム１の各構成要素の具体的な構成について説明する。
【００６６】
図８は、基地局装置２の概略構成図である。
基地局装置２は、無線インターフェース部２１と、アンテナ２２と、有線インターフェース部２３と、記憶部２４と、制御部２５とを有する。また無線インターフェース部２１は、デュプレクサ２６と、無線変調部２７と、無線復調部２８とを有する。このうち、無線インターフェース部２１、記憶部２４及び制御部２５は、それぞれ別個の回路として形成される。あるいはこれらの各部は、その各部に対応する回路が集積された一つの集積回路として基地局装置２に実装されてもよい。
【００６７】
無線インターフェース部２１の無線変調部２７は、制御部２５から受信した、各種の制御信号及び送信処理が施されたダウンリンク信号を、所定の変調方式に従って変調する。なお、所定の変調方式は、例えば、Quadrature Phase Shift Keying（QPSK）、16Quadrature Amplitude Modulation（16QAM）とすることができる。無線変調部２７は、変調されたダウンリンク信号及び制御信号を、無線周波数を持つ搬送波に重畳する。なお、制御信号の一部、例えば、報知情報には、自律設定変更情報が含まれる。そして無線変調部２７は、搬送波に重畳されたダウンリンク信号及び制御信号をハイパワーアンプ（図示せず）により所望のレベルに増幅し、その信号をデュプレクサ２６を介してアンテナ２２へ伝達し、それらの信号を移動局装置４へ送信する。
【００６８】
無線インターフェース部２１の無線復調部２８は、アンテナ２２からデュプレクサ２６を介して受信したアップリンク信号及び制御信号を、低ノイズアンプ（図示せず）により増幅する。無線復調部２８は、増幅されたアップリンク信号及び制御信号に、中間周波数を持つ周期信号を乗じることにより、アップリンク信号及び制御信号の周波数を無線周波数からベースバンド周波数に変換する。そして無線復調部２８は、アップリンク信号を所定の変調方式に従って復調する。そして無線復調部２８は、復調されたアップリンク信号及び制御信号を制御部２５に出力する。
【００６９】
アンテナ２２は、無線変調部２７からデュプレクサ２６を介して伝達されたダウンリンク信号または制御信号を放射する。
またアンテナ２２は、移動局装置５から送信されたアップリンク信号または各種の制御信号を受信し、そのアップリンク信号または制御信号をデュプレクサ２６を介して無線復調部２８に伝達する。
【００７０】
有線インターフェース部２３は、上位ノード装置４と接続するための通信インターフェースを有する。そして有線インターフェース部２３は、ダウンリンク信号または制御信号を上位ノード装置４から受信し、ダウンリンク信号または制御信号を制御部２５に出力する。一方、有線インターフェース部２３は、アップリンク信号または制御信号を制御部２５から受信し、アップリンク信号または制御信号を上位ノード装置４へ出力する。
【００７１】
記憶部２４は、例えば、書き換え可能な不揮発性半導体メモリを有する。そして記憶部２４は、基地局装置２の識別情報及び使用周波数など、移動局装置４と無線接続するための制御に利用される各種の情報を記憶する。また記憶部２４は、アップリンク信号あるいはダウンリンク信号を一時的に記憶してもよい。
さらに記憶部２４は、自律設定変更情報を記憶する。
【００７２】
制御部２５は、例えば、１個若しくは複数個のプロセッサ及びその周辺回路を有する。そして制御部２５は、有線インターフェース部２３から受け取った、移動局装置４へ送信されるダウンリンク信号に対して、チャネル多重化処理及び拡散処理などの送信処理を実行する。そして制御部２５は、送信処理が施されたダウンリンク信号を無線変調部２７へ出力する。また制御部２５は、記憶部２４から読み込んだ自律設定変更情報を、例えば放置情報に含め、無線変調部２７へ出力する。また制御部２５は、移動局装置４から受信し、無線復調部２８により復調されたアップリンク信号を受信し、その信号に対して、逆拡散処理、チャネル分離処理などの受信処理を実行する。そして制御部２５は、復号されたアップリンク信号を有線インターフェース部２３へ出力する。
また制御部２５は、NBAPのような呼制御プロトコルまたはその他の制御用のプロトコルに従って、上位ノード装置３から受信した制御コマンドに従って呼設定、呼解放などの処理を実行する。さらに制御部２５は、送信電力制御などの処理を実行する。
【００７３】
さらに制御部２５は、記憶部２４から読み込んだ自律設定変更情報を参照して、上記のように設定変更処理を実行する。すなわち、制御部２５は、トリガ情報を参照することにより、トリガとなるアクションが発生したか否か判定する。そして制御部２５は、トリガとなるアクションが発生すると、変更タイミング情報及びトリガ時間差情報に基づいて変更タイミングを決定する。そして制御部２５は、変更タイミングに達した時点で、自律設定変更情報に含まれる設定情報に従って、所定の設定を変更する。
【００７４】
図９は、上位ノード装置３の概略構成図である。上位ノード装置３は、制御部３１と、記憶部３２と、有線インターフェース部３３とを有する。
制御部３１は、例えば、１個若しくは複数個のプロセッサ及びその周辺回路を有する。そして制御部３１は、上位ノード装置３に接続されている何れかの基地局装置の通信可能エリア内に存在する移動局装置の位置及び状態を管理する機能を有する。
また制御部３１は、通信中の移動局装置４から受信した信号をルーティングする。例えば、制御部３１は、通信中の移動局装置４から受信したアップリンク信号を有線インターフェース部３３を介してコアネットワークへ送出する。また制御部３１は、通信中の移動局装置４を宛先とするダウンリンク信号をコアネットワークから有線インターフェース部３３を介して受信すると、そのダウンリンク信号を有線インターフェース部３３を介して移動局装置が無線接続された基地局装置へ送信する。
【００７５】
制御部３１は、無線リソース制御（Radio Resource Control、RRC）、無線リソース管理（Radio Resource Management、RRM）の機能を有する。そして制御部３１は、所定の呼制御プロトコルに従って、基地局装置２の通信可能エリアに進入した移動局装置４に対する呼制御処理及びハンドオーバ処理など、基地局装置２と移動局装置４とを無線接続するための処理を実行する。また制御部３１は、基地局装置２と無線接続された移動局装置４の通信セルの管理及び変更処理を実行する。
また制御部３１は、無線リンク制御（Radio Link Control、RLC）、メディアアクセス制御（Media Access Control、MAC）の機能を有してもよい。そして制御部３１は、移動局装置４への送受信信号の再送制御、順序整列などの処理を実行してもよい。
【００７６】
さらに、制御部３１は、上位ノード装置３と接続されている基地局装置２の自律設定変更情報が記憶部３２に記憶されている場合、基地局装置２から起動したことが通知されると、対応する自律設定変更情報をその基地局装置２へ送信してもよい。
【００７７】
記憶部３２は、例えば、書き換え可能な不揮発性半導体メモリを有する。そして記憶部３２は、上位ノード装置３と接続された何れかの基地局装置と無線接続された移動局装置と通信するための制御に利用される各種の情報を記憶する。また記憶部３２は、上位ノード装置３と接続された基地局装置の識別情報とともに、その基地局装置に対応する自律設定変更情報を記憶してもよい。
【００７８】
有線インターフェース部３３は、上位ノード装置３をコアネットワークまたは何れかの基地局装置と接続するための通信インターフェースを有する。そして有線インターフェース部３３は、上位ノード装置３と接続された基地局装置２と無線接続された移動局装置４へのダウンリンク信号をコアネットワークから受信し、そのダウンリンク信号を制御部３１へ渡す。さらに、有線インターフェース部３３は、制御部３１からそのダウンリンク信号を受け取ると、そのダウンリンク信号の宛先となる移動局装置が無線接続された基地局装置へ、そのダウンリンク信号を送信する。一方、有線インターフェース部３３は、基地局装置２からアップリンク信号を受信すると、そのアップリンク信号を制御部３１へ渡す。さらに、有線インターフェース部３３は、制御部３３から受信したアップリンク信号をコアネットワークへ出力する。
【００７９】
図１０は、移動局装置４の概略構成図である。移動局装置４は、無線インターフェース部４１と、アンテナ４２と、記憶部４３と、制御部４４とを有する。また無線インターフェース部４１は、デュプレクサ４５と、無線変調部４６と、無線復調部４７とを有する。このうち、無線インターフェース部４１、記憶部４３及び制御部４４は、それぞれ別個の回路として形成される。あるいはこれらの各部は、その各部に対応する回路が集積された一つの集積回路として移動局装置４に実装されてもよい。
ここで、無線インターフェース部４１及びアンテナ４２は、それぞれ、図８に示した基地局装置２の無線インターフェース部２１及びアンテナ２２と同一の機能及び構成を有する。そのため、無線インターフェース部４１及びアンテナ４２についての詳細な説明は省略する。
【００８０】
記憶部４３は、例えば、書き換え可能な不揮発性半導体メモリを有する。そして記憶部４３は、基地局装置２と通信するための制御に利用される各種の情報を記憶する。また記憶部４３は、基地局装置２から受信した自律設定変更情報を記憶する。
【００８１】
制御部４４は、位置登録、呼制御処理、ハンドオーバ処理など、移動局装置４を基地局装置と無線接続するための処理を実行する。そこで、制御部４４は、移動局装置４と基地局装置２との無線接続処理を実行するための制御信号を生成し、その制御信号を無線変調部４６へ出力する。また制御部４４は、基地局装置２から受信した制御信号に応じた処理を実行する。
【００８２】
さらに、制御部４４は、マイクロホン（図示せず）あるいはキーパッドなどのユーザインターフェース（図示せず）を介して取得された音声信号あるいはデータ信号を含む、アップリンク信号を作成する。そして制御部４４は、アップリンク信号に対して情報源符号化処理、誤り訂正用符号化処理、チャネル多重化処理及び拡散処理などの送信処理を実行する。そして、制御部４４は、その送信処理が施されたアップリンク信号を無線変調部４６へ出力する。また制御部４４は、無線接続されている基地局装置２から受信し、無線復調部４７により復調されたダウンリンク信号を受信し、その信号に対して逆拡散処理、チャネル分離処理、誤り訂正復号処理及び情報源復号処理などの受信処理を実行する。そして制御部４４は、復号されたダウンリンク信号から、音声信号あるいはデータ信号を取り出す。制御部４４は、取り出された音声信号をスピーカ（図示せず）により再生し、あるいはデータ信号をディスプレイ（図示せず）に表示させる。
【００８３】
さらに制御部４４は、基地局装置２からアンテナ４２を介して無線インターフェース部４１により受信した制御情報から自律設定変更情報を取り出し、その自律設定変更情報を記憶部４３に記憶する。そして制御部４４は、記憶部４３から読み込んだ自律設定変更情報を参照して、上記のように設定変更処理を実行する。すなわち、制御部４４は、自律設定変更情報に含まれる、変更タイミングの設定方法に従って、設定変更処理を実行する変更タイミングを決定する。また制御部４４は、トリガ情報を参照することにより、トリガとなるアクションが発生したか否か判定する。そして制御部４４は、トリガとなるアクションが発生すると、変更タイミング情報及びトリガ時間差情報を参照して変更タイミングを決定する。そして制御部４４は、変更タイミングに達した時点で、自律設定変更情報に含まれる設定情報に従って、所定の設定を変更する。
【００８４】
以上に説明してきたように、この移動体通信システムでは、基地局装置と移動局装置が同期して設定を変更するイベントについて、基地局装置は予め設定変更後の情報及び所定のトリガを基準とする変更タイミングを表す自律設定変更情報を記憶しておく。また、基地局装置は、自装置の通信可能エリア内に存在する移動局装置へ定期的に送信する報知情報などの制御情報に、自律設定変更情報を含める。そして移動局装置は、基地局装置から受信した制御情報から自律設定変更情報を取り出す。そして、基地局装置及び移動局装置は、トリガとなるアクションの発生を検知すると、それぞれ、自律設定変更情報を参照することにより自律的に設定情報を変更するタイミングを決定し、そのタイミングで設定情報を変更する。これにより、この移動体通信システムは、設定情報の変更を伴うイベントが発生しても、各装置間で設定情報を変更するために信号を送受信しなくてもよい。そのため、この移動体通信システムは、設定変更時における各装置間の通信量を抑制することができる。
【００８５】
他の実施形態によれば、自律設定変更情報で指定され、あるいはハードハンドオーバの実行時またはChipOffsetを基準として求められる特定タイミングは、移動局装置と基地局装置の両方が知ることのできるタイミングを表すものであってもよい。その特定タイミングは、例えば、システムフレームナンバーによって規定されてもよい。また、基地局装置と移動局装置それぞれのトリガとなるアクション間の時間差を、基地局装置、移動局装置が推定できる場合、自律設定変更情報はトリガ時間差情報を含まなくてもよい。
さらに他の実施形態によれば、基地局装置または移動局装置が信号を送信する際に用いる変調方法を変更する実行タイミングを指定するActivation timingにより指定されたCFNが、特定タイミングの代わりに用いられてもよい。
また、基地局装置及び移動局装置が自律設定変更情報を用いて設定変更するイベントは、基地局装置または移動局装置が信号を送信する際に用いる変調方法の変更であってもよい。この場合、トリガとなるアクションは、変調方法の変更に関する制御情報を基地局装置または移動局装置が受信したこととすることができる。
【００８６】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【符号の説明】
【００８７】
１    移動体通信システム
２    基地局装置
３    上位ノード装置
４    移動局装置
２１、４１    無線インターフェース部
２２、４２    アンテナ
２３、３３    有線インターフェース部
２４、３２、４３    記憶部
２５、３１、５４    制御部
２６、４５    デュプレクサ
２７、４６    無線変調部
２８、４７    無線復調部
【図１】
2011042973.tif 000008
【図２】
2011042973.tif 000009
【図３】
2011042973.tif 000010
【図４】
2011042973.tif 000011
【図５】
2011042973.tif 000012
【図６】
2011042973.tif 000013
【図７】
2011042973.tif 000014
【図８】
2011042973.tif 000015
【図９】
2011042973.tif 000016
【図１０】
2011042973.tif 000017
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
基地局装置と、前記基地局装置と移動局装置とを有する移動体通信システムであって、
前記基地局装置は、第１のイベントが発生したときに、該第１のイベントに応じて変更される設定情報と、設定変更を行うタイミングを指定するタイミング情報と、該タイミングを算出するための基準となるアクションを前記基地局装置と前記移動局装置のそれぞれについて指定するトリガ情報とを含む設定変更情報を記憶し、かつ該設定変更情報を、前記第１のイベントが発生する前に自装置の通信可能エリア内に存在する前記移動局装置へ送信し、
前記移動局装置及び前記基地局装置は、前記トリガ情報に指定されたアクションが発生したときに、それぞれ、前記設定変更情報に含まれる前記タイミング情報に従って設定変更するタイミングを決定し、決定した該タイミングにおいて前記設定変更情報に含まれる前記設定情報に従って設定変更する、
移動体通信システム。
【請求項２】
前記移動局装置及び前記基地局装置は、前記設定変更するタイミングが該移動局装置及び該基地局装置において同一となるように該タイミングを決定する、請求項１に記載の移動体通信システム。
【請求項３】
前記タイミング情報は、一定の周期で繰り返され、前記基地局装置から前記移動局装置へ送信されるフレームに付されるフレーム番号の特定番号を表すフレーム番号情報と、前記アクション発生後における該周期の繰り返し回数を含み、
前記移動局装置及び前記基地局装置は、それぞれ、前記トリガ情報に指定されたアクションが発生してから、前記繰り返し回数だけフレーム番号の周期が繰り返された後の前記特定番号のフレームに相当する時間を、前記設定変更するタイミングとする、
請求項１または２に記載の移動体通信システム。
【請求項４】
前記設定変更情報は、前記移動局装置のアクションが発生するタイミングと前記基地局装置のアクションが発生するタイミングとの時間差の推定値を表す時間差情報をさらに含み、
前記移動局装置と前記基地局装置のうち、前記アクションの発生タイミングが後である装置は、前記アクションの発生タイミングが前である他方の装置における前記アクションの発生タイミングに相当するフレーム番号を前記時間差情報に表された時間差の推定値に相当するフレーム数から推定し、該推定されたフレーム番号よりも、該発生タイミングが後である装置の前記アクション発生時のフレーム番号の方が小さい場合、前記繰り返し回数を、１回少なくなるように補正し、かつ、前記時間差情報に表された時間差の推定値に該当するフレーム数がフレーム数の最大値を超えると、当該時間差に応じて、前記繰り返し回数を少なくなるように補正する、請求項３に記載の移動体通信システム。
【請求項５】
前記フレーム番号情報は、前記第１のイベントと異なる第２のイベントの実行タイミングを指定し、前記移動局装置及び前記基地局装置は、当該第２のイベントの実行時におけるフレーム番号を前記特定番号とする、請求項３または４に記載の移動体通信システム。
【請求項６】
前記基地局装置と接続される上位ノード装置をさらに有し、
前記フレーム番号情報は、前記上位ノード装置が決定した前記移動局装置へ信号を送信するタイミングを指定し、
前記移動局装置及び前記基地局装置は、前記移動局装置へ信号を送信するタイミングを規定するチップ単位のオフセット値から算出される前記フレーム番号を前記特定番号とする、請求項３または４に記載の移動体通信システム。
【請求項７】
前記基地局装置は、自装置と無線接続される前記移動局装置の第１のグループの通信量又は接続数が、自装置と無線接続される前記移動局装置の第２のグループの通信量または接続数よりも多い場合、前記第１のグループに対して、前記基地局装置と接続された上位ノード装置が決定した前記移動局装置へ信号を送信するタイミングを規定するチップ単位のオフセット値から算出される前記フレーム番号、またはセッション中のハードハンドオーバの所定回の実行時における前記フレーム番号を前記特定番号として用い、一方、前記第２のグループに対して前記フレーム番号情報で指定された前記特定番号を用いて前記設定変更するタイミングを決定する、請求項３または４に記載の移動体通信システム。
【請求項８】
所定のイベントが発生したときに、該イベントに応じて変更される設定情報と、設定変更を行うタイミングを指定するタイミング情報と、該タイミングを算出するための基準となるアクションを自装置と移動局装置のそれぞれについて指定するトリガ情報とを含む設定変更情報を記憶する記憶部と、
前記設定変更情報を、前記所定のイベントが発生する前に自装置の通信可能エリア内に存在する移動局装置へ送信する無線インターフェース部と、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更する制御部と、
を有する基地局装置。
【請求項９】
所定のイベントが発生したときに、該イベントに応じて変更される設定情報と、設定変更を行うタイミングを指定するタイミング情報と、該タイミングを算出するための基準となるアクションを基地局装置と移動局装置のそれぞれについて指定するトリガ情報とを含む設定変更情報を、前記基地局装置から受信する無線インターフェース部と、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更する制御部と、
を有する移動局装置。
【請求項１０】
基地局装置と、移動局装置とを有する移動体通信システムにおける設定変更方法であって、
前記基地局装置は、
所定のイベントが発生したときに、該イベントに応じて変更される設定情報と、設定変更を行うタイミングを指定するタイミング情報と、該タイミングを算出するための基準となるアクションを前記基地局装置と前記移動局装置のそれぞれについて指定するトリガ情報とを含む設定変更情報を、前記所定のイベントが発生する前に自装置の通信可能エリア内に存在する前記移動局装置へ送信し、
前記トリガ情報に指定されたアクションが発生したときに、前記設定変更情報に含まれる前記タイミング情報に従って設定変更するタイミングを決定し、該タイミングにおいて前記設定変更情報に含まれる前記設定情報に従って設定変更し、
前記移動局装置は、
前記設定変更情報を受信し、
前記設定変更情報に含まれる前記トリガ情報に指定されたアクションが発生したときに、前記設定変更情報に含まれる前記タイミング情報に従って、設定変更するタイミングを決定し、該タイミングにおいて前記設定変更情報に含まれる前記設定情報に従って設定変更する、
ことを含む方法。
【国際調査報告】
2011042973.tif 000018
2011042973.tif 000019
2011042973.tif 000020
2011042973.tif 000021